(57)【要約】      （修正有）【課題】丁張り等の基準高と基準高を結ぶ基準線を平行にずらして、水糸の張り渡し作業をおこなうために、水糸用糸巻に定規の機能を付け加えてその目盛上に水糸を留めることができるように構成した水糸用糸巻を提供する。【解決手段】定規機能付水糸用糸巻１は、水糸巻取り部５と定規機能付水糸留め金具６a〜６iと３と、糸巻の保護金具４と、水糸の繰り出しを容易にする金具２とで構成する。使用に当っては、例えば工事現場等にて、路肩部に定規機能付水糸用糸巻１の両保護金具４を接地して定規機能付水糸留め金具３を上方として立設させ、定規機能付水糸留め金具３に水糸を留めれば基準線を１００mm上方にずらして張り渡すことが出来る。さらに、水糸を任意の定規機能付水糸留め金具６a〜６iのいずれかに巻きつけて留めれば、接地の基準高から基準線を数cmの目盛分上方にずらして水糸を張り渡すことが出来る。【選択図】図１
0003149514.tif 000002
【実用新案登録請求の範囲】
【請求項１】
作業服のポケット等に入れておくことができる大きさの水糸用糸巻において、
水糸巻取り部の一方端に糸巻の保護金具を設け、他方端に水糸留め金具を設けたことを特徴とする水糸用糸巻。
【請求項２】
請求項１に記載の水糸用糸巻において、
前記糸巻に定規となる目盛を付けて、定規の機能が付け加えられていることを特徴とする水糸用糸巻。
【請求項３】
請求項１または請求項２に記載の水糸用糸巻において、
前記糸巻に、水糸を留めることが出来る定規機能付水糸留め金具を設けたことを特徴とする水糸用糸巻。
【考案の詳細な説明】
【技術分野】
【０００１】
本考案は、工事現場等にて、丁張り等の基準高と基準高を結ぶ基準線の張り渡し作業に用いられる水糸用糸巻に関する。かかる作業をするとき、直線で張り渡しが不可能な場合、基準線が直線に張れるよう基準高から、水糸の張り位置を平行にずらさなければならない。その際に、水糸のずらす値を速やかに決めることが出来、又、ずらした値が目視できるように、工夫した水糸用糸巻に関するものである。
【背景技術】
【０００２】
工事現場等にて、水糸を張るとき、一般的には、適当な大きさの板切れ等が糸巻に代用され、水糸の必要な長さ分を巻き取り準備されるか、購入した大巻そのままで使われることが多く、専用の糸巻が使用されることは稀である。又、専用の糸巻が使用されていないことにより、一現場ごとの使い捨てにされることも多く、大巻のものは、残りの水糸が、汚れたり、縺れたりすることが常であり、使い残しが破棄されたりもする。又、紛失することも多い。
【０００３】
通常、基準高から、水糸の張り位置をずらさなければならないときには、ずらす値をメジャー等（計測器具）で計測し、有り合せの木材等を桁として利用し基準高をずらすか、メジャー等（計測器具）にあてがって基準高をずらし水糸を張ることになるが、メジャー等（計測器具）にあてがって水糸を張る場合は、水糸に強い張力がかかるので不安定になりがちで水糸が張りづらい。どちらの方法にしろ、基準高をずらした数値は明記しておく必要がある。
【０００４】
道路工事等において、主に上層路盤の施工の際には、路盤材の敷き広げ敷き均し及び、転圧をする時に、その都度施工道路の横断方向に水糸を張り設計に基づいた施工路盤の高さを確認していかなければならない。通常道路には、排水性を考慮して道路のセンターから路肩部方向に１〜２％程の下り勾配が付けられているので、道路の横断方向に両端部の基準高から基準高に水糸を直線に張り渡すことが出来ない場合がある。
【０００５】
道路の横断方向に水糸を直線に張り渡すには、道路のセンター部に接触しない程度に、数センチ程、基準線を上方かつ平行にずらすことが必要となる。施工現場には、施工機械が稼動しており、施工路盤の設計値の確認が必要な度に、速やかに、水糸の張り渡しと、取り外しを繰り返さなければならない。
【考案の開示】
【考案が解決しようとする課題】
【０００６】
しかしながら、使い勝手の良い、水糸用糸巻がないので、常に携行したいと思えば、個々に工夫して作るか、適当なものを流用する必要があった。加えて、基準高から水糸の張り位置をずらすときには、ずらす値を計測し、明記等しておかなければならない煩わしさという問題点もあった。
【０００７】
本考案は、実用性の高い水糸用糸巻を提供することにより、水糸が使い捨てにされたり、水糸の無駄な破棄や紛失を防ぐことと、定規の機能を付け加えてその目盛上に水糸を留めることが出来るようにしたことにより、水糸の張り位置をずらすときの煩わしさとの問題点を解決するためになされたものであり、その課題とするところは、工事現場での作業の効率化と、携行性に優れ使い勝手の良い水糸用糸巻を提供することにある。
【課題を解決するための手段】
【０００８】
上記目的を達成するためになされた本考案は、水糸用糸巻を、携行性に優れた形状と大きさとし、使い勝手が良い形状にすることと、糸巻の側面に定規機能を付け、尚且つ、糸巻の側面に水糸を留める金具を取付けたことにある。水糸用糸巻として、携帯性に優れた形状と大きさとし、糸巻の側面に定規となる目盛をつけその目盛上に水糸の留め金具を取り付けてもよい。
【０００９】
本考案の水糸用糸巻によれば、作業服のポケット等に入れておくことが出来る大きさとしてあり、携行性に優れているので、工事現場で水糸が必要なときには、速やかに取り出して水糸の張り渡しが出来る。また、作業終了後に水糸を巻き戻しポケット等に収納することが出来るので、使い捨てや、紛失等の問題点を解決出来る。また、定規の目盛上に水糸を留めることが出来るので、基準高をずらしての張り渡し作業が容易になり、水糸の張り渡し作業の煩わしさという問題点を解決している。
【考案の効果】
【００１０】
上述した水糸用糸巻によれば、携行性に優れ使い勝手の良い形状と大きさで、３０M程の水糸を巻き取ることが出来ることにより、通常の施工現場で使用するのに、必要十分であり、作業服のポケット等に入れて携行し、必要に応じて速やかに水糸の張り渡し作業が出来る。加えて、定規の目盛上に水糸を留めることが出来ることにより、より一層実用性の高い水糸用糸巻となっている。ポケットに入る大きさなので携行性に優れ、使い勝手が良いことは、使い捨て等を防ぐことに効果があり、目盛上に水糸を留めることが出来るのでメジャー等（測定器具）が不要で、水糸の張り渡し作業を容易にし、効率的な作業が出来る。
【考案を実施するための最良の形態】
【００１１】
以下、本考案の実施の形態を図１〜図５に基づいて詳細に説明する。
本形態の定規機能付水糸用糸巻１は、図１〜図５に示すように、水糸を巻き取り易くするためにR形状を有する水糸巻取り部５と定規機能付水糸留め金具６a〜６iと３と糸巻の保護金具４と、水糸の繰り出しを容易にする金具２とを有し、水糸巻取り部５は木製を使用し、ポケットに入る大きさなので携行性に優れ、使い勝手の良い形状と大きさになっている。
【００１２】
水糸の繰り出しを容易にする金具２は、スイベル機構を有し、糸巻を回転させることにより、水糸の繰り出しが容易に出来、より一層の実用性を高めている。
【００１３】
定規機能付水糸留め金具６a〜６i及び３は１０mm間隔で取り付けられており、１０mm間隔の目盛と定規機能を有する。水糸巻取り部の一方端に設けられた保護金具４の側から、１番目の定規機能付水糸留め金具６aが１０mm、９番目の定規機能付水糸留め金具６iが９０mmであり、他方端に設けられた定規機能付水糸留め金具３は、１００mmとなるように取り付けられている。
【００１４】
以上詳細に説明したように、本形態の定規機能付水糸用糸巻１によれば、施工現場に常に携行することが出来、必要に応じて、速やかな取り出し、収納が可能であり、使い捨てや紛失等を防ぐことに効果がある。又、水糸留め金具を使用することにより、基準高からずらしての水糸の張り渡し作業等が容易に出来る。又、水糸の張り渡しは基準高から基準高を結ぶ基準線に平行にずらさなければならないので、道路工事等の施工現場での道路の横断方向において、両端部の基準高に同形状の糸巻を一対で使用すれば、更に効率的な作業ができる定規機能付水糸用糸巻１となっている。
【００１５】
例えば工事現場等にて、路肩部に定規機能付水糸用糸巻１の両保護金具４を接地して定規機能付水糸留め金具３を上方として立設させ、定規機能付水糸留め金具３に水糸を留めれば基準高から基準線を１００mm上方にずらして張り渡すことが出来る。さらに、水糸を任意の定規機能付水糸留め金具６a〜６iのいずれかに巻きつけて留めれば、接地の基準高から基準線を数cmの目盛分上方にずらして水糸を張り渡すことが出来る。一方のみの保護金具４側を下側にして、他方の保護金具４を上側にして、定規機能付水糸留め金具３を横方向にして載置すると、同様にして、水糸を基準点から基準線として横方向に平行にずらして張り渡すことが出来る。
【００１６】
なお、本実施の形態は単なる例示にすぎず、本考案を何ら限定しない。したがって本考
案は必然的にその要旨を逸脱しない範囲内で種々の改良、変形が可能である。
例えば、水糸巻取り部５の材質は上記の例に限らない。又、定規機能付水糸留め金具６a〜６iと３の形状は図面に限らず、取付け方法も図面に限らない。
【図面の簡単な説明】
【００１７】
【図１】本形態に係る定規機能付水糸用糸巻一例を示す正面図。
【図２】図１の下正面図。
【図３】図１の上正面図。
【図４】図１の左正面図。
【図５】図１の右正面図
【符号の説明】
【００１８】
１定規機能付水糸用糸巻
２水糸の繰り出しを容易にする金具
３定規機能付水糸留め金具
４糸巻の保護金具
５水糸巻取り部
６a〜６i定規機能付水糸留め金具
【図１】
0003149514.tif 000003
【図２】
0003149514.tif 000004
【図３】
0003149514.tif 000005
【図４】
0003149514.tif 000006
【図５】
0003149514.tif 000007